(57)【要約】【課題】本発明は自動的に洗浄するコーヒースプーンを開示した。  【解決手段】洗浄箱及びコーヒースプーンを含み、前記コーヒースプーンには左右に貫通している定位孔が設置され、前記洗浄箱の中には洗浄チャンバが設置され、前記洗浄チャンバの中には洗浄装置が設置され、本発明は構成が簡単で、使用が便利であり、コーヒースプーンを使用し終わった後、指定の位置に入れれば自動的に洗浄を行うことができ、洗浄する時に擦り洗いと洗い流しとを行うことができ、従来の手動で洗うことより洗浄の効率を遥かに上げ、洗浄の質を上げ、使用する時の安全衛生を保証し、同時に本装置は体積が小さく、持ち歩いて使用できる。【選択図】図１
2020179133.tif 000002
【特許請求の範囲】
【請求項１】
正面視で、洗浄箱及びコーヒースプーンを含み、前記コーヒースプーンには左右に貫通している定位孔が設置され、前記洗浄箱の中には洗浄チャンバが設置され、前記洗浄チャンバの中には洗浄装置が設置され、前記洗浄装置はブラシ機構及び水噴き機構を含み、前記洗浄箱の中には動力チャンバが設置され、前記動力チャンバの中には動力装置が設置され、前記動力装置の中はモーターを含み、前記動力装置と前記洗浄装置との間は伝動できるように連結され、前記洗浄箱の中には空きチャンバが設置され、前記空きチャンバの中には貯水装置が設置され、前記貯水装置は貯水箱を含み、前記貯水装置が前記水噴き機構とパイプにより連結され、前記洗浄箱の中には制御チャンバが設置され、前記制御チャンバの中には放水装置が設置され、前記放水装置が前記動力装置と伝動できるように連結され、前記洗浄箱の中には制御装置が設置され、前記制御装置は第二スライダと第一スライダを含み、前記制御装置の中にはスイッチが設置され、前記制御装置の中の前記スイッチと前記動力装置の中の前記モーターとの間は通電できるように連結されていることを特徴とする自動的に洗浄するコーヒースプーン。
【請求項２】
前記制御装置は前記洗浄箱の上端面に設置された第一スライド溝を含み、前記第一スライド溝の中には前記第一スライダがスライドできるように設置され、前記洗浄箱の上端面には第二スライド溝が設置され、前記第二スライド溝の中には前記第二スライダがスライドできるように設置され、前記第二スライダの右端面と前記第二スライド溝の右壁との間は第一バネにより連結され、前記洗浄箱の中には前記第二スライド溝と連通している斜めブロックチャンバが設置され、前記第二スライダの下端面には前記斜めブロックチャンバの中まで伸びている中間ロッドが固定的に設置され、前記中間ロッドの右端面には第一斜めブロックが固定的に設置され、前記洗浄箱の中にはロッド溝が設置され、前記ロッド溝の中には定位ロッドがスライドできるように設置され、前記ロッド溝の頂壁の中には第三斜めブロックがスライドできるように設置され、前記斜めブロックチャンバの中には前記第三斜めブロックの左端面に固定的に連結された第二斜めブロックが設置され、前記定位ロッドの上下端面には第四斜めブロックが対称的に、固定的に設置され、前記第一スライド溝が前記ロッド溝と連通しており、前記第一スライダの下端面には支持ロッドが固定的に設置され、前記支持ロッドの一端が前記定位ロッドの左端面と固定的に連結され、前記定位ロッドの左端面と前記ロッド溝の左壁との間は第二ばねにより連結され、前記洗浄箱の中には前記空きチャンバに連通している挿入孔が設置され、前記挿入孔の右壁の中には開閉溝が設置され、前記開閉溝の右壁には前記スイッチが固定的に設置されていることを特徴とする請求項１に記載の自動的に洗浄するコーヒースプーント。
【請求項３】
前記動力装置は前記動力チャンバの底壁に固定的に設置された前記モーターを含み、前記モーターの上端には動力軸が動力が伝達できるように連結され、前記動力軸には主プーリが固定的に設置され、前記動力軸の上端には主ギヤが固定的に設置され、
また、前記貯水装置は前記空きチャンバの底壁に固定的に設置された前記貯水箱を含み、前記貯水箱の中には貯水チャンバが設置され、前記空きチャンバの頂壁には前記貯水チャンバに連通している水注ぎ孔が設置され、前記水注ぎ孔の中には水注ぎバルブが固定的に設置され、前記貯水チャンバの中には力蓄積板がスライドできるように設置され、前記力蓄積板の下端面と前記貯水チャンバの底壁との間は力蓄積ばねにより連結され、前記貯水箱の右端面には前記貯水チャンバに連通している第一連通管が固定的に設置され、前記第一連通管の右端には第二連通管が連通するように設置され、
また、前記放水装置は前記制御チャンバの底壁に回転できるように設置された伝動軸を含み、前記伝動軸には前記主プーリとベルトにより連結された副プーリが固定的に設置され、前記伝動軸の上端には回転盤が固定的に設置され、前記回転盤の中には複数の第三スライド溝が設置され、前記第三スライド溝の中には第三スライダがスライドできるように設置され、前記第三スライダと前記第三スライド溝の内壁との間は第三ばねにより連結され、前記制御チャンバの頂壁には第四スライド溝が設置され、前記第四スライド溝の中には第四スライダがスライドできるように設置され、前記第四スライダの右端面と前記第四スライド溝の右壁との間は第四ばねにより連結され、前記第四スライダの下端面には頂板が固定的に設置され、前記頂板の左端面には連結ロッドが固定的に設置され、前記第一連通管の中には前記連結ロッドの左端に固定的に連結された閉鎖ブロックが設置されており、
また、前記放水装置は前記制御チャンバの底壁に回転できるように設置された伝動軸を含み、前記伝動軸には前記主プーリとベルトにより連結された副プーリが固定的に設置され、前記伝動軸の上端には回転盤が固定的に設置され、前記回転盤の中には複数の第三スライド溝が設置され、前記第三スライド溝の中には第三スライダがスライドできるように設置され、前記第三スライダと前記第三スライド溝の内壁との間は第三ばねにより連結され、前記制御チャンバの頂壁には第四スライド溝が設置され、前記第四スライド溝の中には第四スライダがスライドできるように設置され、前記第四スライダの右端面と前記第四スライド溝の右壁との間は第四ばねにより連結され、前記第四スライダの下端面には頂板が固定的に設置され、前記頂板の左端面には連結ロッドが固定的に設置され、前記第一連通管の中には前記連結ロッドの左端に固定的に連結された閉鎖ブロックが設置されていることを特徴とする請求項１に記載の自動的に洗浄するコーヒースプーント。
【請求項４】
前記洗浄装置は前記ブラシ機構及び前記水噴き機構を含み、前記ブラシ機構は前記洗浄チャンバの後壁に設置された左右対称の案内溝を含み、前記案内溝の頂壁の中にはリードスクリューが回転できるように設置され、前記リードスクリューの下端には前記主ギヤと噛み合っている副ギヤが固定的に設置され、前記案内溝の中には前記リードスクリューとネジ山により連結された移動ブロックがスライドできるように設置され、前記移動ブロックにはブラシが固定的に設置され、
また、前記水噴き機構は、前記洗浄チャンバの頂壁に固定的に設置され、且つ前記第二連通管に連通している第三連通管を含み、前記洗浄チャンバの左右壁には前記第三連通管に連通している水噴き管が固定的に設置され、前記水噴き管の相対する片側の管壁には複数の水噴き孔が設置され、前記洗浄チャンバの中には排水チャンバが設置され、前記排水チャンバは前記排水孔により前記洗浄チャンバに連通しており、前記洗浄箱の中には前記排水チャンバに連通している排水管が設置され、前記排水管の一端が外部空間に伸びていることを特徴とする請求項１に記載の自動的に洗浄するコーヒースプーント。
【発明の詳細な説明】
【技術分野】
【０００１】
本発明は機械技術分野を取り上げて、具体的には自動的に洗浄するコーヒースプーンである。
【背景技術】
【０００２】
生活水準の向上につれて、人々はますます食品安全に関心を寄せ、しかし食器の衛生を無視し、コーヒーを飲む時、コーヒースプーンを使用してコーヒーを撹拌して飲み、コーヒースプーンを使用し終わった後、人々が一般的に水でコーヒースプーンを簡単に洗い、きれいに洗浄できなく、使用上の安全性を保証できなく、上記の欠点に対して、本装置を提出した。
【先行技術文献】
【特許文献】
【０００３】
【特許文献１】中国特許出願公開第１０６９４２９７２号明細書
【発明の概要】
【発明が解決しようとする課題】
【０００４】
上記技術の不足に対して、本発明は自動的に洗浄するコーヒースプーンを提案し、上記欠点を解消できる。
【課題を解決するための手段】
【０００５】
本発明装置の自動的に洗浄するコーヒースプーンは、洗浄箱及びコーヒースプーンを含み、前記コーヒースプーンには左右に貫通している定位孔が設置され、前記洗浄箱の中には洗浄チャンバが設置され、前記洗浄チャンバの中には洗浄装置が設置され、前記洗浄装置はブラシ機構及び水噴き機構を含み、前記洗浄箱の中には動力チャンバが設置され、前記動力チャンバの中には動力装置が設置され、前記動力装置の中はモーターを含み、前記動力装置と前記洗浄装置との間は伝動できるように連結され、前記洗浄箱の中には空きチャンバが設置され、前記空きチャンバの中には貯水装置が設置され、前記貯水装置は貯水箱を含み、前記貯水装置が前記水噴き機構とパイプにより連結され、前記洗浄箱の中には制御チャンバが設置され、前記制御チャンバの中には放水装置が設置され、前記放水装置が前記動力装置と伝動できるように連結され、前記洗浄箱の中には制御装置が設置され、前記制御装置は第二スライダと第一スライダを含み、前記制御装置の中にはスイッチが設置され、前記制御装置の中の前記スイッチと前記動力装置の中の前記モーターとの間は通電できるように連結されている。
【０００６】
好ましくは、前記制御装置は前記洗浄箱の上端面に設置された第一スライド溝を含み、前記第一スライド溝の中には前記第一スライダがスライドできるように設置され、前記洗浄箱の上端面には第二スライド溝が設置され、前記第二スライド溝の中には前記第二スライダがスライドできるように設置され、前記第二スライダの右端面と前記第二スライド溝の右壁との間は第一バネにより連結され、前記洗浄箱の中には前記第二スライド溝と連通している斜めブロックチャンバが設置され、前記第二スライダの下端面には前記斜めブロックチャンバの中まで伸びている中間ロッドが固定的に設置され、前記中間ロッドの右端面には第一斜めブロックが固定的に設置され、前記洗浄箱の中にはロッド溝が設置され、前記ロッド溝の中には定位ロッドがスライドできるように設置され、前記ロッド溝の頂壁の中には第三斜めブロックがスライドできるように設置され、前記斜めブロックチャンバの中には前記第三斜めブロックの左端面に固定的に連結された第二斜めブロックが設置され、前記定位ロッドの上下端面には第四斜めブロックが対称的に、固定的に設置され、前記第一スライド溝が前記ロッド溝と連通しており、前記第一スライダの下端面には支持ロッドが固定的に設置され、前記支持ロッドの一端が前記定位ロッドの左端面と固定的に連結され、前記定位ロッドの左端面と前記ロッド溝の左壁との間は第二ばねにより連結され、前記洗浄箱の中には前記空きチャンバに連通している挿入孔が設置され、前記挿入孔の右壁の中には開閉溝が設置され、前記開閉溝の右壁には前記スイッチが固定的に設置されている。
【０００７】
好ましくは、前記動力装置は前記動力チャンバの底壁に固定的に設置された前記モーターを含み、前記モーターの上端には動力軸が動力が伝達できるように連結され、前記動力軸には主プーリが固定的に設置され、前記動力軸の上端には主ギヤが固定的に設置され、
また、前記貯水装置は前記空きチャンバの底壁に固定的に設置された前記貯水箱を含み、前記貯水箱の中には貯水チャンバが設置され、前記空きチャンバの頂壁には前記貯水チャンバに連通している水注ぎ孔が設置され、前記水注ぎ孔の中には水注ぎバルブが固定的に設置され、前記貯水チャンバの中には力蓄積板がスライドできるように設置され、前記力蓄積板の下端面と前記貯水チャンバの底壁との間は力蓄積ばねにより連結され、前記貯水箱の右端面には前記貯水チャンバに連通している第一連通管が固定的に設置され、前記第一連通管の右端には第二連通管が連通するように設置され、
また、前記放水装置は前記制御チャンバの底壁に回転できるように設置された伝動軸を含み、前記伝動軸には前記主プーリとベルトにより連結された副プーリが固定的に設置され、前記伝動軸の上端には回転盤が固定的に設置され、前記回転盤の中には複数の第三スライド溝が設置され、前記第三スライド溝の中には第三スライダがスライドできるように設置され、前記第三スライダと前記第三スライド溝の内壁との間は第三ばねにより連結され、前記制御チャンバの頂壁には第四スライド溝が設置され、前記第四スライド溝の中には第四スライダがスライドできるように設置され、前記第四スライダの右端面と前記第四スライド溝の右壁との間は第四ばねにより連結され、前記第四スライダの下端面には頂板が固定的に設置され、前記頂板の左端面には連結ロッドが固定的に設置され、前記第一連通管の中には前記連結ロッドの左端に固定的に連結された閉鎖ブロックが設置されている。
【０００８】
好ましくは、前記洗浄装置は前記ブラシ機構及び前記水噴き機構を含み、前記ブラシ機構は前記洗浄チャンバの後壁に設置された左右対称の案内溝を含み、前記案内溝の頂壁の中にはリードスクリューが回転できるように設置され、前記リードスクリューの下端には前記主ギヤと噛み合っている副ギヤが固定的に設置され、前記案内溝の中には前記リードスクリューとネジ山により連結された移動ブロックがスライドできるように設置され、前記移動ブロックにはブラシが固定的に設置され、
また、前記水噴き機構は、前記洗浄チャンバの頂壁に固定的に設置され、且つ前記第二連通管に連通している第三連通管を含み、前記洗浄チャンバの左右壁には前記第三連通管に連通している水噴き管が固定的に設置され、前記水噴き管の相対する片側の管壁には複数の水噴き孔が設置され、前記洗浄チャンバの中には排水チャンバが設置され、前記排水チャンバは前記排水孔により前記洗浄チャンバに連通しており、前記洗浄箱の中には前記排水チャンバに連通している排水管が設置され、前記排水管の一端が外部空間に伸びている。
【発明の効果】
【０００９】
以上のように、本発明は構成が簡単で、使用が便利であり、コーヒースプーンを使用し終わった後、指定の位置に入れれば自動的に洗浄を行うことができ、洗浄する時に擦り洗いと洗い流しとを行うことができ、従来の手動で洗うことより洗浄の効率を遥かに上げ、洗浄の質を上げ、使用する時の安全衛生を保証し、同時に本装置は体積が小さく、持ち歩いて使用できる。
【図面の簡単な説明】
【００１０】
下記に図１〜６をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本発明の自動的に洗浄するコーヒースプーンの全体構成模式図
【図２】図２は図１の洗浄箱１０の構成模式図
【図３】図３は図１のコーヒースプーン１１の構成模式図
【図４】図４は図２のＡの構成模式図
【図５】図５は図２のＢの構成模式図
【図６】図６は図２のＣの構成模式図
【発明を実施するための形態】
【００１２】
以下は付図説明と実施例を交えて本発明について更に説明し、本発明の方式は以下の実施例を含むが、これのみに限定されるものではない。    
【００１３】
図１〜６に示すように、本発明装置の自動的に洗浄するコーヒースプーンは、洗浄箱１０及びコーヒースプーン１１を含み、前記コーヒースプーン１１には左右に貫通している定位孔４５が設置され、前記洗浄箱１０の中には洗浄チャンバ４３が設置され、前記洗浄チャンバ４３の中には洗浄装置５００が設置され、前記洗浄装置５００はブラシ機構５０１及び水噴き機構５０２を含み、前記洗浄箱１０の中には動力チャンバ４０が設置され、前記動力チャンバ４０の中には動力装置２００が設置され、前記動力装置の中はモーター４１を含み、前記動力装置２００と前記洗浄装置５００との間は伝動できるように連結され、前記洗浄箱の中には空きチャンバ４４が設置され、前記空きチャンバ４４の中には貯水装置３００が設置され、前記貯水装置３００は貯水箱１４を含み、前記貯水装置３００が前記水噴き機構５０２とパイプにより連結され、前記洗浄箱１０の中には制御チャンバ２１が設置され、前記制御チャンバ２１の中には放水装置４００が設置され、前記放水装置４００が前記動力装置２００と伝動できるように連結され、前記洗浄箱１０の中には制御装置１００が設置され、前記制御装置１００は第二スライダ５９と第一スライダ６１を含み、前記制御装置１００の中にはスイッチ１９が設置され、前記制御装置１００の中の前記スイッチ１９と前記動力装置２００の中の前記モーター４１との間は通電できるように連結されている。  
【００１４】
有益的には、前記制御装置１００は前記洗浄箱１０の上端面に設置された第一スライド溝６０を含み、前記第一スライド溝６０の中には前記第一スライダ６１がスライドできるように設置され、前記洗浄箱１０の上端面には第二スライド溝５８が設置され、前記第二スライド溝５８の中には前記第二スライダ５９がスライドできるように設置され、前記第二スライダ５９の右端面と前記第二スライド溝５８の右壁との間は第一バネ５７により連結され、前記洗浄箱１０の中には前記第二スライド溝５８と連通している斜めブロックチャンバ５６が設置され、前記第二スライダ５９の下端面には前記斜めブロックチャンバ５６の中まで伸びている中間ロッド６９が固定的に設置され、前記中間ロッド６９の右端面には第一斜めブロック５５が固定的に設置され、前記洗浄箱１０の中にはロッド溝５０が設置され、前記ロッド溝５０の中には定位ロッド５２がスライドできるように設置され、前記ロッド溝５０の頂壁の中には第三斜めブロック５３がスライドできるように設置され、前記斜めブロックチャンバ５６の中には前記第三斜めブロック５３の左端面に固定的に連結された第二斜めブロック５４が設置され、前記定位ロッド５２の上下端面には第四斜めブロック５１が対称的に、固定的に設置され、前記第一スライド溝６０が前記ロッド溝５０と連通しており、前記第一スライダ６１の下端面には支持ロッド４７が固定的に設置され、前記支持ロッド４７の一端が前記定位ロッド５２の左端面と固定的に連結され、前記定位ロッド５２の左端面と前記ロッド溝５０の左壁との間は第二ばね４９により連結され、前記洗浄箱１０の中には前記空きチャンバ４４に連通している挿入孔７０が設置され、前記挿入孔７０の右壁の中には開閉溝１８が設置され、前記開閉溝１８の右壁には前記スイッチ１９が固定的に設置されている。
【００１５】
有益的には、前記動力装置２００は前記動力チャンバ４０の底壁に固定的に設置された前記モーター４１を含み、前記モーター４１の上端には動力軸３９が動力が伝達できるように連結され、前記動力軸３９には主プーリ４２が固定的に設置され、前記動力軸３９の上端には主ギヤ３８が固定的に設置され、
また、前記貯水装置３００は前記空きチャンバ４４の底壁に固定的に設置された前記貯水箱１４を含み、前記貯水箱１４の中には貯水チャンバ１５が設置され、前記空きチャンバ４４の頂壁には前記貯水チャンバ１５に連通している水注ぎ孔１６が設置され、前記水注ぎ孔１６の中には水注ぎバルブ１７が固定的に設置され、前記貯水チャンバ１５の中には力蓄積板１３がスライドできるように設置され、前記力蓄積板１３の下端面と前記貯水チャンバ１５の底壁との間は力蓄積ばね１２により連結され、前記貯水箱１４の右端面には前記貯水チャンバ１５に連通している第一連通管２５が固定的に設置され、前記第一連通管２５の右端には第二連通管２６が連通するように設置され、
また、前記放水装置４００は前記制御チャンバ２１の底壁に回転できるように設置された伝動軸６７を含み、前記伝動軸６７には前記主プーリ４２とベルトにより連結された副プーリ６８が固定的に設置され、前記伝動軸６７の上端には回転盤６３が固定的に設置され、前記回転盤６３の中には複数の第三スライド溝６５が設置され、前記第三スライド溝６５の中には第三スライダ６４がスライドできるように設置され、前記第三スライダ６４と前記第三スライド溝６５の内壁との間は第三ばね６６により連結され、前記制御チャンバ２１の頂壁には第四スライド溝２４が設置され、前記第四スライド溝２４の中には第四スライダ２２がスライドできるように設置され、前記第四スライダ２２の右端面と前記第四スライド溝２４の右壁との間は第四ばね２３により連結され、前記第四スライダ２２の下端面には頂板６２が固定的に設置され、前記頂板６２の左端面には連結ロッド２０が固定的に設置され、前記第一連通管２５の中には前記連結ロッド２０の左端に固定的に連結された閉鎖ブロック４６が設置されている。
【００１６】
有益的には、前記洗浄装置５００は前記ブラシ機構５０１及び前記水噴き機構５０２を含み、前記ブラシ機構５０１は前記洗浄チャンバ４３の後壁に設置された左右対称の案内溝３３を含み、前記案内溝３３の頂壁の中にはリードスクリュー３０が回転できるように設置され、前記リードスクリュー３０の下端には前記主ギヤ３８と噛み合っている副ギヤ３７が固定的に設置され、前記案内溝３３の中には前記リードスクリュー３０とネジ山により連結された移動ブロック３１がスライドできるように設置され、前記移動ブロック３１にはブラシ３２が固定的に設置され、
前記水噴き機構５０２は、前記洗浄チャンバ４３の頂壁に固定的に設置され、且つ前記第二連通管２６に連通している第三連通管２７を含み、前記洗浄チャンバ４３の左右壁には前記第三連通管２７に連通している水噴き管２９が固定的に設置され、前記水噴き管２９の相対する片側の管壁には複数の水噴き孔２８が設置され、前記洗浄チャンバ４３の中には排水チャンバ３５が設置され、前記排水チャンバ３５は前記排水孔３４により前記洗浄チャンバ４３に連通しており、前記洗浄箱１０の中には前記排水チャンバ３５に連通している排水管３６が設置され、前記排水管３６の一端が外部空間に伸びている。
【００１７】
前記の自動的に洗浄するコーヒースプーンの実現方法は、以下のステップを含む：
【００１８】
使用する時、コーヒースプーン１１を挿入孔７０により洗浄チャンバ４３の中に挿入し、定位ロッド５２を定位孔４５の中に挿入し、第二スライダ５９を右方へスライドさせ、中間ロッド６９と、第一斜めブロック５５と、第二斜めブロック５４とにより第三斜めブロック５３を上方へ上げ、定位ロッド５２は第二ばね４９の作用のもとで弾き出され、且つ開閉溝１８の中に挿入されてスイッチ１９を押し、モーター４１が作動し、動力軸３９と、主プーリ４２と、副プーリ６８とにより伝動軸６７を連動させて回転させ、伝動軸６７が回転盤６３を連動させて回転させ、回転盤６３が第三スライダ６４を振り出し、第三スライダ６４が頂板６２を押して右方へ運動させ、頂板６２が連結ロッド２０により閉鎖ブロック４６を連動させて右方へ運動させ、これにより第一連通管２５と第二連通管２６とを連通させ、力蓄積板１３は力蓄積ばね１２の作用のもとで上方へ運動して洗浄液を押し出し、洗浄液が水噴き管２８に入って水噴き孔２８により噴き出され、動力軸３９は主ギヤ３８と、副ギヤ３７とを通じてリードスクリュー３０を連動させて回転させ、リードスクリュー３０が回転し、これにより移動ブロック３１がブラシ３２を連動させて上昇させて洗浄を行い、ブラシ３２が頂部まで上昇する時、モーター４１が逆方向へ回転してブラシ３２を下降させて復帰させ、この時に洗浄が終わり、第一スライダ６１を左方へスライドさせ、これにより定位ロッド５２を復帰させ、コーヒースプーン１１を引き出せばよく、貯水チャンバ１５の中に洗浄液が足りないと水注ぎバルブ１７により洗浄液を注ぐ。
【００１９】
以上のように、本発明は構成が簡単で、使用が便利であり、コーヒースプーンを使用し終わった後、指定の位置に入れれば自動的に洗浄を行うことができ、洗浄する時に擦り洗いと洗い流しとを行うことができ、従来の手動で洗うことより洗浄の効率を遥かに上げ、洗浄の質を上げ、使用する時の安全衛生を保証し、同時に本装置は体積が小さく、持ち歩いて使用できる。
【００２０】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020179133.tif 000003
【図２】
2020179133.tif 000004
【図３】
2020179133.tif 000005
【図４】
2020179133.tif 000006
【図５】
2020179133.tif 000007
【図６】
2020179133.tif 000008
【手続補正書】
【提出日】令和2年2月25日(2020.2.25)
【手続補正１】
【補正対象書類名】特許請求の範囲
【補正対象項目名】全文
【補正方法】変更
【補正の内容】
【特許請求の範囲】
【請求項１】
正面視で、洗浄箱及びコーヒースプーンを含み、前記コーヒースプーンには左右に貫通している定位孔が設置され、前記洗浄箱の中には洗浄チャンバが設置され、前記洗浄チャンバの中には洗浄装置が設置され、前記洗浄装置はブラシ機構及び水噴き機構を含み、前記洗浄箱の中には動力チャンバが設置され、前記動力チャンバの中には動力装置が設置され、前記動力装置の中はモーターを含み、前記動力装置と前記洗浄装置との間は伝動できるように連結され、前記洗浄箱の中には空きチャンバが設置され、前記空きチャンバの中には貯水装置が設置され、前記貯水装置は貯水箱を含み、前記貯水装置が前記水噴き機構とパイプにより連結され、前記洗浄箱の中には制御チャンバが設置され、前記制御チャンバの中には放水装置が設置され、前記放水装置が前記動力装置と伝動できるように連結され、前記洗浄箱の中には制御装置が設置され、前記制御装置は第二スライダと第一スライダを含み、前記制御装置の中にはスイッチが設置され、前記制御装置の中の前記スイッチと前記動力装置の中の前記モーターとの間は通電できるように連結され、
前記制御装置は前記洗浄箱の上端面に設置された第一スライド溝を含み、前記第一スライド溝の中には前記第一スライダがスライドできるように設置され、前記洗浄箱の上端面には第二スライド溝が設置され、前記第二スライド溝の中には前記第二スライダがスライドできるように設置され、前記第二スライダの右端面と前記第二スライド溝の右壁との間は第一バネにより連結され、前記洗浄箱の中には前記第二スライド溝と連通している斜めブロックチャンバが設置され、前記第二スライダの下端面には前記斜めブロックチャンバの中まで伸びている中間ロッドが固定的に設置され、前記中間ロッドの右端面には第一斜めブロックが固定的に設置され、前記洗浄箱の中にはロッド溝が設置され、前記ロッド溝の中には定位ロッドがスライドできるように設置され、前記ロッド溝の頂壁の中には第三斜めブロックがスライドできるように設置され、前記斜めブロックチャンバの中には前記第三斜めブロックの左端面に固定的に連結された第二斜めブロックが設置され、前記定位ロッドの上下端面には第四斜めブロックが対称的に、固定的に設置され、前記第一スライド溝が前記ロッド溝と連通しており、前記第一スライダの下端面には支持ロッドが固定的に設置され、前記支持ロッドの一端が前記定位ロッドの左端面と固定的に連結され、前記定位ロッドの左端面と前記ロッド溝の左壁との間は第二ばねにより連結され、前記洗浄箱の中には前記空きチャンバに連通している挿入孔が設置され、前記挿入孔の右壁の中には開閉溝が設置され、前記開閉溝の右壁には前記スイッチが固定的に設置され、
前記動力装置は前記動力チャンバの底壁に固定的に設置された前記モーターを含み、前記モーターの上端には動力軸が動力が伝達できるように連結され、前記動力軸には主プーリが固定的に設置され、前記動力軸の上端には主ギヤが固定的に設置され、また、前記貯水装置は前記空きチャンバの底壁に固定的に設置された前記貯水箱を含み、前記貯水箱の中には貯水チャンバが設置され、前記空きチャンバの頂壁には前記貯水チャンバに連通している水注ぎ孔が設置され、前記水注ぎ孔の中には水注ぎバルブが固定的に設置され、前記貯水チャンバの中には力蓄積板がスライドできるように設置され、前記力蓄積板の下端面と前記貯水チャンバの底壁との間は力蓄積ばねにより連結され、前記貯水箱の右端面には前記貯水チャンバに連通している第一連通管が固定的に設置され、前記第一連通管の右端には第二連通管が連通するように設置され、また、前記放水装置は前記制御チャンバの底壁に回転できるように設置された伝動軸を含み、前記伝動軸には前記主プーリとベルトにより連結された副プーリが固定的に設置され、前記伝動軸の上端には回転盤が固定的に設置され、前記回転盤の中には複数の第三スライド溝が設置され、前記第三スライド溝の中には第三スライダがスライドできるように設置され、前記第三スライダと前記第三スライド溝の内壁との間は第三ばねにより連結され、前記制御チャンバの頂壁には第四スライド溝が設置され、前記第四スライド溝の中には第四スライダがスライドできるように設置され、前記第四スライダの右端面と前記第四スライド溝の右壁との間は第四ばねにより連結され、前記第四スライダの下端面には頂板が固定的に設置され、前記頂板の左端面には連結ロッドが固定的に設置され、前記第一連通管の中には前記連結ロッドの左端に固定的に連結された閉鎖ブロックが設置されており、また、前記放水装置は前記制御チャンバの底壁に回転できるように設置された伝動軸を含み、前記伝動軸には前記主プーリとベルトにより連結された副プーリが固定的に設置され、前記伝動軸の上端には回転盤が固定的に設置され、前記回転盤の中には複数の第三スライド溝が設置され、前記第三スライド溝の中には第三スライダがスライドできるように設置され、前記第三スライダと前記第三スライド溝の内壁との間は第三ばねにより連結され、前記制御チャンバの頂壁には第四スライド溝が設置され、前記第四スライド溝の中には第四スライダがスライドできるように設置され、前記第四スライダの右端面と前記第四スライド溝の右壁との間は第四ばねにより連結され、前記第四スライダの下端面には頂板が固定的に設置され、前記頂板の左端面には連結ロッドが固定的に設置され、前記第一連通管の中には前記連結ロッドの左端に固定的に連結された閉鎖ブロックが設置され、
前記洗浄装置は前記ブラシ機構及び前記水噴き機構を含み、前記ブラシ機構は前記洗浄チャンバの後壁に設置された左右対称の案内溝を含み、前記案内溝の頂壁の中にはリードスクリューが回転できるように設置され、前記リードスクリューの下端には前記主ギヤと噛み合っている副ギヤが固定的に設置され、前記案内溝の中には前記リードスクリューとネジ山により連結された移動ブロックがスライドできるように設置され、前記移動ブロックにはブラシが固定的に設置され、また、前記水噴き機構は、前記洗浄チャンバの頂壁に固定的に設置され、且つ前記第二連通管に連通している第三連通管を含み、前記洗浄チャンバの左右壁には前記第三連通管に連通している水噴き管が固定的に設置され、前記水噴き管の相対する片側の管壁には複数の水噴き孔が設置され、前記洗浄チャンバの中には排水チャンバが設置され、前記排水チャンバは前記排水孔により前記洗浄チャンバに連通しており、前記洗浄箱の中には前記排水チャンバに連通している排水管が設置され、前記排水管の一端が外部空間に伸びており、
前記コーヒースプーン１１を前記挿入孔７０により前記洗浄チャンバ４３の中に挿入し、前記定位ロッド５２を前記定位孔４５の中に挿入し、前記第二スライダ５９を右方へスライドさせ、前記中間ロッド６９と、前記第一斜めブロック５５と、前記第二斜めブロック５４とにより前記第三斜めブロック５３を上方へ上げ、前記定位ロッド５２は前記第二ばね４９の作用のもとで弾き出され、且つ前記開閉溝１８の中に挿入されて前記スイッチ１９を押し、
生活水準の向上につれて、人々はますます食品安全に関心を寄せ、しかし食器の衛生を無視し、コーヒーを飲む時、コーヒースプーンを使用してコーヒーを撹拌して飲み、コーヒースプーンを使用し終わった後、人々が一般的に水でコーヒースプーンを簡単に洗い、きれいに洗浄できなく、使用上の安全性を保証できなく、上記の欠点に対して、本装置を提出し、
コーヒースプーンを使用し終わった後、指定の位置に入れれば自動的に洗浄を行うことができ、洗浄する時に擦り洗いと洗い流しとを行うことができ、従来の手動で洗うことより洗浄の効率を遥かに上げ、洗浄の質を上げ、使用する時の安全衛生を保証し、同時に本装置は体積が小さく、持ち歩いて使用できることを特徴とする自動的に洗浄するコーヒースプーン。